(57)【要約】【課題】クリーニングユニットによる搬送ベルト２８上のインクのクリーニング性能を向上させる。【解決手段】記録ヘッド３２より搬送ベルト２８の回転方向上流側且つクリーニングウェブユニット５２より搬送ベルト２８の回転方向下流側に、水を吐出する吐出ヘッド３２を設ける。記録ヘッド３２が搬送ベルト２８上へインク滴を吐出する吐出モードの際、予め、搬送ベルト２８上のインク滴が着弾する位置に、吐出ヘッド３２から吐出される水でクリーニング促進層を形成しておき、インク滴と搬送ベルト２８との間にクリーニング促進層を介在させる。【選択図】図３
2007283634.tif 000002
【特許請求の範囲】
【請求項１】
液滴を吐出する液滴吐出ヘッドと、
記録媒体を保持し前記液滴吐出ヘッドに対向させて搬送する搬送部材と、
前記搬送部材を清掃する清掃手段と、
前記搬送部材上に液体又は粉体のクリーニング促進層を形成する層形成手段と、
前記液滴吐出ヘッドに前記搬送部材上へ液滴を吐出する吐出モードを実行させるヘッド制御手段と、
前記吐出モードが実行される際、予め、前記層形成手段に、前記搬送部材上の前記液滴吐出ヘッドから吐出された液滴が着弾する位置に前記クリーニング促進層を形成させる層形成制御手段と、
を有することを特徴とする液滴吐出装置。
【請求項２】
前記搬送部材を、記録媒体を保持して回転する回転体とし、
前記層形成手段を前記液滴吐出ヘッドより前記搬送部材の回転方向上流側且つ前記清掃手段より前記搬送部材の回転方向下流側に配設したことを特徴とする請求項１に記載の液滴吐出装置。
【請求項３】
前記クリーニング促進層を多孔質粉体で形成することを特徴とする請求項１又は２に記載の液滴吐出装置。
【請求項４】
前記クリーニング促進層の成分と、前記搬送部材の材料に添加された成分の少なくとも１つとを同じにしたことを特徴とする請求項１乃至３の何れか1項に記載の液滴吐出装置。
【請求項５】
前記クリーニング促進層に、前記液滴吐出ヘッドから吐出される液体を凝集させる性質を与えたことを特徴とする請求項１乃至４の何れか１項に記載の液滴吐出装置。
【請求項６】
前記搬送部材上に形成された前記クリーニング促進層の上に、前記液滴吐出ヘッドから吐出される液体を凝集させる性質を有する凝集層を形成する凝集層形成手段を有することを特徴とする請求項１乃至４の何れか１項に記載の液滴吐出装置。
【請求項７】
前記層形成制御手段は、前記液滴吐出ヘッドから吐出される液体の量に応じて、前記層形成手段が形成する前記クリーニング促進層の範囲を変化させることを特徴とする請求項１乃至６の何れか１項に記載の液滴吐出装置。
【請求項８】
前記液滴吐出ヘッドが記録媒体の搬送方向に沿って複数配列されており、
前記ヘッド制御手段は、複数の前記液滴吐出ヘッドに、一つの前記クリーニング促進層上へ液滴を吐出させることを特徴とする請求項１乃至６の何れか１項に記載の液滴吐出装置。
【請求項９】
記録媒体を前記搬送部材に静電吸着させる吸着手段を有することを特徴とする請求項１乃至８の何れか1項に記載の液滴吐出装置。
【発明の詳細な説明】
【技術分野】
【０００１】
本発明は、液滴を吐出する液滴吐出ヘッドと、記録媒体を保持し液滴吐出ヘッドに対向させて搬送する搬送部材と、搬送部材を清掃する清掃手段とを備える液滴吐出装置に関する。
【背景技術】
【０００２】
液滴吐出装置としてのインクジェットプリンタでは、インク滴を吐出しない時間が長くなったノズルの中でインクの増粘が起こり、該ノズルの吐出性能が低下し、酷い場合には目詰まりが発生する。このため、印字前や印字中に、画像記録とは無関係にノズルからインク滴を吐出させる所謂ダミージェットを行っている。
【０００３】
このダミージェットは、インク受けやメンテナンス機構のキャップへ向けて行っても良いが、その都度、インク受けやメンテナンス機構、及びインクジェット記録ヘッドを移動させなければならないので、プリントが開始されるまでの時間又はプリントの中断時間が長くなり、プリント処理のスループットが低下するという問題がある。これに対して、ダミージェットを搬送ベルト上へ行い、搬送ベルトに付着したインクをブレード等のクリーニング機構でクリーニングする方式では、インク受けやメンテナンス機構、及びインクジェット記録ヘッドを移動させる必要が無いので、同様の問題は無い。
【０００４】
ここで、搬送ベルト上に付着したインクのクリーニングが不十分の場合には、用紙裏面へのインクの付着や、搬送ベルトの表面抵抗値が低下し搬送ベルトと用紙との静電吸着力が低下することによる用紙の搬送不良等が発生する。このため、従来から搬送ベルトに付着したインクのクリーニング性能を向上させるための対策が考案されている（例えば、特許文献１、２参照）。
【０００５】
特許文献１、２には、吐出ヘッドによる水の吐出、又はウェブによる水の塗布を、搬送ベルトに付着したインク上へ行い、搬送ベルトに付着したインクの濃度を低下させてインクと搬送ベルトとの付着力を低下させることで、インクの搬送ベルトからの除去性を高めるという方法が記載されている。
【０００６】
しかしながら、この方法では、水等の液体が、インクと搬送ベルトとの間に十分に浸透せず、また、インクと搬送ベルトとの間で十分に拡散しないので、インクの搬送ベルトからの除去性を十分に高めることができないという問題があった。
【特許文献１】特開２００４−１３０７２０号公報
【特許文献２】特開２００４−１６１４５４号公報
【発明の開示】
【発明が解決しようとする課題】
【０００７】
本発明は上記事実を考慮してなされたものであり、液滴吐出ヘッドから搬送部材上へ吐出された液体の搬送部材からの除去性を向上させる。
【課題を解決するための手段】
【０００８】
請求項１に記載の液滴吐出装置は、液滴を吐出する液滴吐出ヘッドと、記録媒体を保持し前記液滴吐出ヘッドに対向させて搬送する搬送部材と、前記搬送部材を清掃する清掃手段と、前記搬送部材上に液体又は粉体のクリーニング促進層を形成する層形成手段と、前記液滴吐出ヘッドに前記搬送部材上へ液滴を吐出する吐出モードを実行させるヘッド制御手段と、前記吐出モードが実行される際、予め、前記層形成手段に、前記搬送部材上の前記液滴吐出ヘッドから吐出された液滴が着弾する位置に前記クリーニング促進層を形成させる層形成制御手段と、を有することを特徴とする。
【０００９】
請求項１に記載の液滴吐出装置では、記録媒体が、搬送部材に保持され液滴吐出ヘッドに対向されて搬送される。この際に、ヘッド制御手段が液滴吐出ヘッドに液滴を吐出させることで、記録媒体に画像等が記録される。また、ヘッド制御手段は、液滴吐出ヘッドに、搬送部材上へ液滴を吐出する吐出モードを実行させる。これによって、液滴吐出ヘッド内での液体の増粘が防止される。
【００１０】
ここで、層形成手段によって搬送部材上に液体又は粉体のクリーニング促進層を形成できるようになっている。この層形成手段は、層形成制御手段によって制御されており、上述の吐出モードが実行される際、予め、搬送部材上の液滴吐出ヘッドから吐出された液滴が着弾する位置に、クリーニング促進層を形成する。
【００１１】
これによって、吐出モード時に、液滴吐出ヘッドから搬送部材上へ吐出された液体と搬送部材との間に、クリーニング促進層が介在し、液滴吐出ヘッドから搬送部材上へ吐出された液体が、搬送部材に直接付着しないので、清掃手段による搬送部材の清掃性能が促進される。
【００１２】
請求項２に記載の液滴吐出装置は、請求項１に記載の液滴吐出装置であって、前記搬送部材を、記録媒体を保持して回転する回転体とし、前記層形成手段を前記液滴吐出ヘッドより前記搬送部材の回転方向上流側且つ前記清掃手段より前記搬送部材の回転方向下流側に配設したことを特徴とする。
【００１３】
請求項２に記載の液滴吐出装置では、搬送部材が、記録媒体を保持して回転する回転体である。ここで、層形成手段を、液滴吐出ヘッドより搬送部材の回転方向下流側且つ清掃手段より搬送部材の回転方向上流側に配設した場合には、層形成手段によって搬送部材上に形成されたクリーニング促進層が、まず、清掃手段の清掃領域を通過し、その後、液滴吐出ヘッドの吐出領域を通過するので、清掃手段を搬送部材に対して接離させる必要があり、機構が複雑になってコストが増大する。また、層形成手段によって搬送部材にクリーニング促進層を形成してから液滴吐出ヘッドの液滴の吐出を開始するまでの時間が長くなるので、プリント出力のスループットが低下する。
【００１４】
そこで、本発明では、層形成手段を、液滴吐出ヘッドより搬送部材の回転方向上流側且つ清掃手段より搬送部材の回転方向下流側に配設し、層形成手段によって搬送部材上に形成されたクリーニング促進層が、まず、液滴吐出ヘッドの吐出領域を通過し、その後、清掃手段によって清掃されるようにしている。
【００１５】
これによって、清掃手段を搬送部材に接離させる機構が不要になるので、コストを低減できる。また、層形成手段によって搬送部材にクリーニング促進層を形成してから液滴吐出ヘッドの液滴の吐出を開始するまでの時間を短縮でき、プリント出力のスループットを向上できる。
【００１６】
請求項３に記載の液滴吐出装置は、請求項１又は２に記載の液滴吐出装置であって、前記クリーニング促進層を多孔質粉体で形成することを特徴とする。
【００１７】
請求項３に記載の液滴吐出装置では、層形成手段によって搬送部材上に多孔質粉体のクリーニング促進層を形成する。これによって、液滴吐出ヘッドから搬送部材上へ吐出された液体がクリーニング促進層に吸収されるので、クリーニング促進層上の液体が、搬送部材上へ流れ落ちることを防止できる。
【００１８】
請求項４に記載の液滴吐出装置は、請求項１乃至３の何れか１項に記載の液滴吐出装置であって、前記クリーニング促進層の成分と、前記搬送部材の材料に添加された成分の少なくとも１つとを同じにしたことを特徴とする。
【００１９】
請求項４に記載の液滴吐出装置では、クリーニング促進層の成分が、搬送部材の材料に添加された成分の少なくとも１つと同じにすること、即ち、搬送部材と親和性が高いクリーニング促進層を搬送部材上に形成することで、搬送部材の侵食、脱脂、硬化等の２次障害を防止している。
【００２０】
また、液滴吐出ヘッドから吐出される液体の成分と化学反応を起こす成分が搬送部材の材料に添加されている場合には、該添加剤成分でクリーニング促進層を形成し、クリーニング促進層上の液体とクリーニング促進層とで化学反応を起こさせることで、液滴吐出ヘッドから搬送部材上へ吐出された液体と搬送部材との化学反応を抑制できる。
【００２１】
請求項５に記載の液滴吐出装置は、請求項１乃至４の何れか１項に記載の液滴吐出装置であって、前記クリーニング促進層に、前記液滴吐出ヘッドから吐出される液体を凝集させる性質を与えたことを特徴とする。
【００２２】
請求項５に記載の液滴吐出装置では、クリーニング促進層に、液滴吐出ヘッドから吐出される液体を凝集させる性質を与え、液滴吐出ヘッドからクリーニング促進層上へ吐出された液体を凝集させることで、清掃手段によるクリーニング促進層上の液体の清掃性能を促進している。
【００２３】
請求項６に記載の液滴吐出装置は、請求項１乃至４の何れか１項に記載の液滴吐出装置であって、前記搬送部材上に形成された前記クリーニング促進層の上に、前記液滴吐出ヘッドから吐出される液体を凝集させる性質を有する凝集層を形成する凝集層形成手段を有することを特徴とする。
【００２４】
請求項６に記載の液滴吐出装置では、凝集層形成手段によって、液滴吐出ヘッドから吐出される液体を凝集させる性質を有する凝集層が、搬送部材上に形成されたクリーニング促進層の上に形成される。
【００２５】
これによって、液滴吐出ヘッドからクリーニング促進層上へ吐出された液体が凝集するので、清掃手段によるクリーニング促進層上の液体の清掃性能が促進される。
【００２６】
請求項７に記載の液滴吐出装置は、請求項１乃至６の何れか１項に記載の液滴吐出装置であって、前記層形成制御手段は、前記液滴吐出ヘッドから吐出される液体の量に応じて、前記層形成手段が形成する前記クリーニング促進層の範囲を変化させることを特徴とする。
【００２７】
請求項７に記載の液滴吐出装置では、層形成制御手段が、液滴吐出ヘッドから吐出される液体の量に応じて、層形成手段が形成するクリーニング促進層の範囲を変化させる。これによって、クリーニング促進層を形成する液体又は粉体の消費量を必要最小限に抑制できるのでランニングコストを低減できる。
【００２８】
請求項８に記載の液滴吐出装置は、請求項１乃至６の何れか１項に記載の液滴吐出装置であって、前記液滴吐出ヘッドが記録媒体の搬送方向に沿って複数配列されており、前記ヘッド制御手段は、複数の前記液滴吐出ヘッドに、一つの前記クリーニング促進層上へ液滴を吐出させることを特徴とする。
【００２９】
請求項８に記載の液滴吐出装置では、液滴吐出ヘッドがヘッド制御手段によって制御され、記録媒体の搬送方向に沿って複数配列された液滴吐出ヘッドから一つのクリーニング促進層上へ液滴が吐出される。これによって、各液滴吐出ヘッド毎に、クリーニング促進層を形成する場合と比較して、クリーニング促進層の面積の精度を低くできる。
【００３０】
請求項９に記載の液滴吐出装置は、請求項１乃至８の何れか１項に記載の液滴吐出装置であって、記録媒体を前記搬送部材に静電吸着させる吸着手段を有することを特徴とする。
【００３１】
請求項９に記載の液滴吐出装置では、吸着手段によって記録媒体が搬送部材に静電吸着される。ここで、清掃手段による搬送部材上の液体の清掃性能が向上されているので、搬送部材の表面抵抗値の低下を抑制でき、記録媒体と搬送部材との静電吸着力の低下を抑制できるので、記録媒体の搬送不良を抑制でき、また、画質を向上できる。
【発明の効果】
【００３２】
本発明は上記構成にしたので、清掃手段による搬送部材の清掃性能を向上できると共に、コストの増大、装置の大型化を抑制できる。
【発明を実施するための最良の形態】
【００３３】
以下、図面を参照して本発明の第１実施形態について説明する。
【００３４】
図１には、本実施形態のインクジェット記録装置１２が示されている。インクジェット記録装置１２の筐体１４内の下部には給紙トレイ１６が備えられており、給紙トレイ１６内に積層された用紙をピックアップロール１８で１枚ずつ取り出すことができる。取り出された用紙は、所定の搬送経路２２を構成する複数の搬送ローラ対２０で搬送される。
【００３５】
給紙トレイ１６の上方には、無端状の搬送ベルト２８が、駆動ロール２４及び従動ロール２６、２７、２９に張架されている。駆動ロール２４と従動ロール２６とが、上流側から記載順に略水平に配設され、その上方で、従動ロール２７、２９が上流側から記載順に略水平に配設されている。
【００３６】
また、搬送ベルト２８の上方には記録ヘッドアレイ３０が配置されており、従動ロール２７と従動ロール２９との間の搬送ベルト２８の平坦部分２８Ｆに対向している。この対向した領域が、記録ヘッドアレイ３０からインク滴が吐出される吐出領域ＳＥとなっている。搬送経路２２を搬送された用紙は、搬送ベルト２８で保持されてこの吐出領域ＳＥに至り、記録ヘッドアレイ３０に対向した状態で、記録ヘッドアレイ３０から画像情報に応じたインク滴が付着される。
【００３７】
記録ヘッドアレイ３０は、本実施形態では、有効な記録領域が用紙の幅（搬送方向と直交する方向の長さ）以上とされた長尺状とされ、イエロー（Ｙ）、マゼンタ（Ｍ）、サイアン（Ｃ）、及びブラック（Ｋ）の４色それぞれに対応した４つのインクジェット記録ヘッド（以下、記録ヘッドという）３２が搬送方向に沿って配置されており、フルカラーの画像を記録可能になっている。
【００３８】
各記録ヘッド３２は、ヘッド駆動回路５０によって駆動される。ヘッド駆動回路５０は、たとえば、画像情報に応じてインク滴の吐出タイミングや使用するインク吐出口（ノズル）を決め、駆動信号を記録ヘッド３２に送る構成である。
【００３９】
また、記録ヘッドアレイ３０は、搬送方向と直交する方向に不動とされていてもよいが、必要に応じて移動するように構成しておくと、マルチパスによる画像記録で、より解像度の高い画像を記録したり、記録ヘッド３２の不具合を記録結果に反映させないようにしたりできる。
【００４０】
記録ヘッドアレイ３０の下流側には、それぞれの記録ヘッド３２に対応した４つのメンテナンスユニット３４が配置されている。図２に示すように、記録ヘッド３２に対してメンテナンスを行う場合には、記録ヘッドアレイ３０が上方へ移動され、搬送ベルト２８との間に構成された間隙にメンテナンスユニット３４が移動して入り込む。そして、ノズル面に対向した状態で、所定のメンテナンス動作（吸引、ワイピング、キャッピング等）を行う。
【００４１】
また、記録ヘッドアレイ３０の上方には、各色のインクを貯留するインクタンク５４が配置されている。各インクタンク３５には、各記録ヘッド３２が接続されている。
【００４２】
図３に示すように、記録ヘッドアレイ３０の上流側には、電源３８が接続された帯電ロール３６が配置されている。帯電ロール３６は、従動ロール２７との間で搬送ベルト２８及び用紙を挟みつつ従動し、用紙を搬送ベルト２８に押圧する。この際、接地された従動ロール２７との間に所定の電位差が生じるため、用紙に電荷を与えて用紙を搬送ベルト２８に静電吸着させることができる。
【００４３】
記録ヘッドアレイ３０の下流側には、剥離爪４０が配置されており、用紙を搬送ベルト２８から剥離させる。剥離された用紙は、剥離爪４０の下流側で排出経路４４を構成する複数の排出ローラ対４２で搬送され、筐体１４の上部に設けられた排紙トレイ４６に排出される。
【００４４】
また、剥離爪４０の下方には、クリーニングブレードユニット４８が配置されている。このクリーニングブレードユニット４８は、搬送ベルト２８の従動ロール２９に巻き掛けられた部分に当接し、搬送ベルト２８に付着したインク等を掻き取るブレード４９と、ブレード４９によって搬送ベルト２８から掻き取られたインク等を回収する回収ボックス５１とを備えている。
【００４５】
また、帯電ロール３６の上流側には、搬送ベルト２８の帯電状態をリセットするために接地された除電ロール７０が配置され、本実施形態では、接地された駆動ロール２４との間で搬送ベルト２８を挟みつつ従動している。
【００４６】
また、記録ヘッドアレイ３０の上流側且つ帯電ロール３６の下流側には、クリーニング促進液を吐出する吐出ヘッド５８が配置されている。この吐出ヘッド５８は、記録ヘッド３２と同様の構成で、クリーニング促進液としての蒸留水を吐出する。
【００４７】
また、クリーニングブレードユニット４８の下方には、クリーニングウェブユニット５２が配置されている。このクリーニングウェブユニット５２は、搬送ベルト２８の従動ロール２６に巻き掛けられた部分に当接したウェブ５４と、ウェブ５４をロール状に保持した軸５５と、この軸５５を回転可能に支持するフレーム５６とを備えている。ウェブ５４は、吸水性のある部材で形成されており、搬送ベルト２８に付着している液体を吸収する。
【００４８】
ところで、インク滴を吐出しない時間が長くなると記録ヘッド３２の中でインクの増粘が起こってノズルの吐出性能が低下し、酷い場合には目詰まりが発生する。このため、印字前やページ間に、ヘッド駆動回路５０によって記録ヘッド３２が駆動され、搬送ベルト２８上へのインク滴の吐出が行われるダミージェット（予備吐出）吐出モードが実行される。
【００４９】
ここで、吐出ヘッド５８は、ヘッド駆動回路１００によって制御されており、図４に示すように、記録ヘッド３２がダミージェットを行う前に駆動され、蒸留水を搬送ベルト２８上へ吐出して搬送ベルト２８上に蒸留水の層であるクリーニング促進層Ｒを形成する。
【００５０】
これによって、記録ヘッド３２から搬送ベルト２８上へ吐出されたインクＩと、搬送ベルト２８との間に、クリーニング促進層Ｒが介在し、インクが搬送ベルト２８に直接付着しないので、ブレード４９によるインクの掻き取り、ウェブ５４によるインクの吸い取りが促進される。
【００５１】
ここで、吐出ヘッド５８を、記録ヘッド３２より搬送ベルト２８の回転方向下流側且つクリーニングブレードユニット４８より搬送ベルト２８の回転方向上流側に配設した場合には、搬送ベルト２８上に形成されたクリーニング促進層Ｒが、まず、クリーニングブレードユニット４８及びクリーニングウェブユニット５２の清掃領域を通過し、その後、記録ヘッド３２の吐出領域を通過するので、ブレード４９及びウェブ５４を搬送ベルト２８に対して接離させる必要があり、機構が複雑になってコストが増大する。また、吐出ヘッド５８によって搬送ベルト２８上にクリーニング促進層Ｒを形成してから記録ヘッド３２のダミージェットを開始するまでの時間が長くなるので、プリント出力のスループットが低下する。
【００５２】
そこで、本実施形態では、吐出ヘッド５８を、記録ヘッド３２より搬送ベルト２８の回転方向上流側且つクリーニングブレードユニット４８より搬送ベルト２８の回転方向下流側に配設し、搬送ベルト２８上に形成されたクリーニング促進層Ｒが、まず、記録ヘッド３２の吐出領域を通過し、その後、クリーニングブレードユニット４８、クリーニングウェブユニット５２によってクリーニングされるようにしている。
【００５３】
これによって、ブレード４９、ウェブ５４を搬送ベルト２８に接離させる機構が不要になるので、コストを低減できる。また、吐出ヘッド５８が搬送ベルト２８上にクリーニング促進層Ｒを形成してから記録ヘッド３２のダミージェットを開始するまでの時間を短縮でき、プリント出力のスループットを向上できる。
【００５４】
また、搬送ベルト２８の表面に撥水性を持たせる必要が無いので、搬送ベルト２８の材料の制約、特に表面特性の制約が少ないというメリットを有する。
【００５５】
なお、本実施形態では、インクを水性インク、搬送ベルト２８上のクリーニング促進層Ｒを蒸留水の層としたが、水性のインクに適応できるクリーニング促進層Ｒを形成する液体としては、その他に、例えば、ベルト材料との化学作用が無く、また、水性のインクの溶解性が低いジメチルシリコーンオイル等のシリコーン系オイル、フッ素系オイル、シリコーン系オイル、フッ素系オイル以外でベルト材料の添加剤であるもの等を用いることができる。また、油性のインクに適応できるクリーニング促進層Ｒを形成する液体としては、溶剤が速乾性の高い有機溶剤であっても、インクの搬送ベルト２８への付着を阻害できるものであれば、用いることができる。
【００５６】
また、本実施形態では、吐出ヘッド５８にクリーニング促進液を搬送ベルト２８上へ吐出させて、搬送ベルト２８上にクリーニング促進層Ｒを形成したが、図５に示すように、ロール６０によってクリーニング促進液を搬送ベルト２８上へ塗布する等の他の方法も適用可能である。なお、ロール６０は、搬送ベルト２８に対して接離可能とし、ダミージェットを行う時に搬送ベルト２８に当接させ、それ以外の時には搬送ベルト２８から離間させておけば良い。
【００５７】
次に、本発明の第２実施形態について説明する。なお、第１実施形態と同様の構成には同一の符号を付し、説明は省略する。
【００５８】
図６に示すように、本実施形態では、粉体ディスペンサ６２が、帯電ロール３６と記録ヘッド３２との間に配置されている。粉体ディスペンサ６２は、クリーニング促進粉体として直径１５μｍのアクリル系多孔質粉体を、二成分磁気ブラシ現像方式や一成分現像方式等の電子写真技術の現像方式によって、搬送ベルト２８上へ移動させる。この粉体ディスペンサ６２は、駆動回路１１０によって制御されており、図７に示すように、記録ヘッド３２がダミージェットを行う前に駆動され、搬送ベルト２８上に、アクリル系多孔質粉体の層であるクリーニング促進層Ｐを形成する。粉体ディスペンサ６２は、搬送ベルト２８に対して接離可能とし、ダミージェットを行う時に搬送ベルト２８に当接させ、それ以外の時には、搬送ベルト２８から離間させておけば良い。
【００５９】
これによって、記録ヘッド３２から搬送ベルト２８上へ吐出されたインクＩと、搬送ベルト２８との間に、クリーニング促進層Ｐが介在し、インクが搬送ベルト２８に直接付着しないので、ブレード４９によるインクの掻き取り、ウェブ５４によるインクの吸い取りが促進される。
【００６０】
ここで、搬送ベルト２８上に形成するクリーニング促進層Ｐを多孔質体の粉末であるアクリル系多孔質粉体で形成したことで、インクＩをクリーニング促進層Ｐに吸収させることができ、インクがクリーニング促進層Ｐから搬送ベルト２８上へ流れ落ちることを防止できる。
【００６１】
なお、本実施形態では、インクを水性インク、搬送ベルト２８上のクリーニング促進層Ｐを形成する粉体をアクリル系多孔質粉体としたが、他に適応できるクリーニング促進層Ｐを形成する粉体としては、液体を捕獲できる構造をしていれば良く、ポリエステル等の高分子やセラミック材料等が挙げられる。また、インクが油性インク等であっても、上記と同様の粉体を用いることが出来る。
【００６２】
次に、本発明の第３実施形態について説明する。なお、第１、第２実施形態と同様の構成には同一の符号を付し、説明は省略する。
【００６３】
図８に示すように、本実施形態では、第２実施形態と同様、粉体ディスペンサ６２が、駆動ロール２４の上方且つ従動ロール２７の下方に配置されている。また、記録ヘッドアレイ３０の上流側且つ帯電ロール３６の下流側には、吐出ヘッド６４が配置されている。この吐出ヘッド６４は、記録ヘッド３２と同様の構成で、インク凝集剤を吐出する。
【００６４】
ここで、吐出ヘッド６４は、ヘッド駆動回路１２０によって制御されており、記録ヘッド３２がダミージェットを行う前に駆動され、図９に示すように、インク凝集剤を搬送ベルト２８上に形成されたクリーニング促進層Ｐ上へ吐出してクリーニング促進層Ｐ上にインク凝集剤の層であるインク凝集層Ｃを形成する。
【００６５】
これによって、記録ヘッド３２から搬送ベルト２８上へ吐出されたインクＩと、搬送ベルト２８との間に、クリーニング促進層Ｐが介在し、さらに、クリーニング促進層Ｐの上に、インク凝集層Ｃが存在するので、インクＩが搬送ベルト２８に直接付着せず、また、インクＩが凝集するので、ブレード４９によるインクの掻き取り、ウェブ５４によるインクの吸い取りが促進される。
【００６６】
なお、本実施形態では、搬送ベルト２８上に形成されたクリーニング促進層Ｐ上に、インク凝集層Ｃを形成したが、インクを凝集させる成分を含む粉末でクリーニング促進層Ｐを形成したり、インクを凝集させる成分を含む液体でクリーニング促進層Ｒを形成したりすることによっても、本実施形態と同様の効果が得られる。
【００６７】
次に、本発明の第４実施形態について説明する。なお、第１乃至第３実施形態と同様の構成には同一の符号を付し、説明は省略する。
【００６８】
図３に示すように、本実施形態では、第１実施形態と同様、記録ヘッドアレイ３０の上流側且つ帯電ロール３６の下流側に、クリーニング促進液を吐出する吐出ヘッド５８が配置されている。
【００６９】
ここで、吐出ヘッド５８がクリーニング促進液を吐出する時点で、ヘッド駆動回路５０からヘッド駆動回路１００へ、ダミージェットの駆動信号がフィードバックされており、ヘッド駆動回路１００は、ダミージェットの駆動信号に応じて、吐出ヘッド５８を駆動し、図１０に示すように、搬送ベルト２８上のダミージェットが行われる範囲にのみクリーニング促進層Ｒを形成する。即ち、記録ヘッド３２から吐出されるインクの量が少なく、搬送ベルト２８上に付着するインクの面積が狭い場合には、クリーニング促進層Ｒの面積を狭くし、記録ヘッド３２から吐出されるインクの量が多く、搬送ベルト２８上に付着するインクの面積が広い場合には、クリーニング促進層Ｒの面積を広くする。これによって、蒸留水の消費量を必要最小限に抑制できるのでランニングコストを低減できる。
【００７０】
なお、本実施形態では、液体の層であるクリーニング促進層Ｒを形成する例について説明したが、粉体の層であるクリーニング促進層Ｐを搬送ベルト２８上のダミージェットが行われる範囲にのみ形成することで、本実施形態と同様の効果が得られる。
【００７１】
次に、本発明の第５実施形態について説明する。なお、第１乃至第４実施形態と同様の構成には同一の符号を付し、説明は省略する。
【００７２】
図３に示すように、本実施形態では、第１実施形態と同様、記録ヘッドアレイ３０の上流側且つ帯電ロール３６の下流側に、クリーニング促進液を吐出する吐出ヘッド５８が配置されている。
【００７３】
ここで、吐出ヘッド５８は、ヘッド駆動回路１００によって、記録ヘッド３２がダミージェットを行う前に連続的に駆動され、図１１に示すように、蒸留水を搬送ベルト２８上へ連続的に吐出して搬送ベルト２８上に吐出領域ＳＥ以上の広さのクリーニング促進層Ｒ´を形成する。この際、記録ヘッド３２のインクの吐出量が多ければクリーニング促進層Ｒの厚みを増加させる。
【００７４】
また、下流側の記録ヘッド３２は、上流側の記録ヘッド３２からクリーニング促進層Ｒ´上に吐出されたインクの上へインクを吐出する。
【００７５】
ここで、クリーニング促進層Ｒ´が広範囲に広がっているので、記録ヘッド３２は、長時間連続してインクを吐出することが可能である。また、クリーニング促進層Ｒ´の面積の精度の要求が低くなるので、ヘッド駆動回路１００による吐出ヘッド５８の制御が容易になる。
【００７６】
なお、本実施形態では、液体の層であるクリーニング促進層Ｒ´を形成する例について説明したが、搬送ベルト２８上に吐出領域ＳＥ以上の広さの粉体の層であるクリーニング促進層を形成することで、本実施形態と同様の効果が得られる。
【００７７】
次に、本発明の第６実施形態について説明する。なお、第１乃至第５実施形態と同様の構成には同一の符号を付し、説明は省略する。
【００７８】
図３に示すように、本実施形態では、第１実施形態と同様、記録ヘッドアレイ３０の上流側且つ帯電ロール３６の下流側に、クリーニング促進液を吐出する吐出ヘッド５８が配置されている。
【００７９】
ここで、クリーニング促進液として、搬送ベルト２８の材料の添加剤成分が選択されている。例えば、可塑剤であるエステル類、滑剤であるステアリン酸、潤滑剤であるオイル等である。
【００８０】
即ち、搬送ベルト２８の材料に添加されている搬送ベルト２８との親和性が高い液体を搬送ベルト２８上に塗布することで、搬送ベルト２８の侵食、脱脂、硬化等の２次障害を防止する。
【００８１】
また、インクの成分と化学反応を起こす成分が搬送ベルト２８の材料に添加されている場合には、該添加剤成分をクリーニング促進液として選択し、クリーニング促進層Ｏとインクとで化学反応を起こさせることで、搬送ベルト２８とインクとの化学反応を抑制できる。
【００８２】
なお、第１乃至第６実施形態では、インクジェット記録装置を例に取って本発明を説明したが、本発明は、インクジェット記録装置に限らず、高分子フィルム上に着色インクを吐出して行うディスプレイ用のカラーフィルターの作製、有機ＥＬ溶液を基板上に吐出させて行うＥＬディスプレイパネルの形成など、様々な工業的用途を対象とした液滴吐出装置一般に対して、適用可能である。
【００８３】
また、本発明の液滴吐出装置において画像記録の対象となる「記録媒体」には、液滴吐出ヘッドが液滴を吐出する対象物であれば広く含まれる。したがって、記録媒体には、記録用紙やＯＨＰシートなどが含まれるのはもちろんであるが、これら以外にも、たとえば、高分子フィルムなどが含まれる。
【００８４】
また、本発明の液滴吐出装置における「搬送部材」には、記録媒体を保持して搬送する部材であれば広く含まれる。例えば、記録媒体を周面で保持して回転するドラムや、記録媒体を保持して往復動するテーブルなどが含まれる。
【００８５】
さらに、第１乃至第６実施形態では、用紙の幅よりも短尺のインクジェット記録ヘッドを用紙の幅方向に複数配列してユニット化した構成を例に取って本発明を説明したが、これに限らず、例えば、用紙の幅よりも短尺のインクジェット記録ヘッドを用紙の幅方向に移動させる構成等にも本発明を適用可能である。
【図面の簡単な説明】
【００８６】
【図１】本発明の第１実施形態のインクジェット記録装置の概略を示す側面図である。
【図２】本発明の第１実施形態のインクジェット記録装置の概略を示す側面図である。
【図３】図１、図２のインクジェット記録装置の印字部の概略を示す側面図である。
【図４】図１のインクジェット記録装置の印字部を拡大して示す側面図である。
【図５】図１、図２のインクジェット記録装置の変形例の概略を示す側面図である。
【図６】本発明の第２実施形態のインクジェット記録装置の印字部の概略を示す側面図である。
【図７】図６のインクジェット記録装置の印字部を拡大して示す側面図である。
【図８】本発明の第３実施形態のインクジェット記録装置の印字部の概略を示す側面図である。
【図９】図８のインクジェット記録装置の印字部を拡大して示す側面図である。
【図１０】本発明の第４実施形態のインクジェット記録装置の印字部を拡大して示す側面図である。
【図１１】本発明の第５実施形態のインクジェット記録装置の印字部を拡大して示す側面図である。
【符号の説明】
【００８７】
１２        インクジェット記録装置（液滴吐出装置）
２８        搬送ベルト（搬送部材）
３２        インクジェット記録ヘッド（液滴吐出ヘッド）
３６        帯電ロール（吸着手段）
４９        ブレード（清掃手段）
５０        ヘッド駆動回路（ヘッド制御手段）
５８        吐出ヘッド（層形成手段）
６０        ロール（層形成手段）
６２        粉体ディスペンサ（層形成手段）
６６        ウェブ（清掃手段）
１００      駆動回路（層形成制御手段）
１１０      駆動回路（層形成制御手段）
Ｃ          インク凝集層（凝集層）
Ｉ          インク（液体）
Ｐ          クリーニング促進層
Ｒ          クリーニング促進層
Ｒ´        クリーニング促進層
【図１】
2007283634.tif 000003
【図２】
2007283634.tif 000004
【図３】
2007283634.tif 000005
【図４】
2007283634.tif 000006
【図５】
2007283634.tif 000007
【図６】
2007283634.tif 000008
【図７】
2007283634.tif 000009
【図８】
2007283634.tif 000010
【図９】
2007283634.tif 000011
【図１０】
2007283634.tif 000012
【図１１】
2007283634.tif 000013